(57)【要約】    【課題】電源の投入時において、インターホン親機との間でデータ通信を行う複数のインターホン増設親機毎、個別の増設親機ＩＤを自動で割り当てる。    【解決手段】インターホン親機１に直列接続される複数のインターホン増設親機２ａ、２ｂ、・・・にそれぞれ電源が投入されると、増設親機ＣＰＵ２７ａ、２７ｂ、・・・は、増設親機メモリ２０ａ、２０ｂ、・・・に保存されている自増設親機の増設親機ＩＤの設定データを参照して、設定データが範囲外である場合にスイッチ回路２９ａ、２９ｂ、・・・がオフ状態となるように切り替え、自増設親機および自増設機以降の当該増設親機の間の伝送路Ｌ2、Ｌ3、・・・を切断することができる。また、インターホン増設親機の増設親機ＣＰＵから増設親機ＩＤの割り当てのための要求コマンドを受信したインターホン親機の親機ＣＰＵ１７は、親機メモリ１０に保存されている増設親機ＩＤの割り当て状況データテーブルを参照して、割り当てられていない増設親機ＩＤを要求元であるインターホン増設親機の増設親機メモリに保存させることができる。  【選択図】図１
2007067727.tif 000002
【特許請求の範囲】
【請求項１】
インターホン親機（１）と複数のインターホン増設親機（２ａ、２ｂ、・・・）とを各親機のそれぞれの通信用Ｉ／Ｆ（１８、２８ａ、２８ｂ、・・・）を経由し、伝送路（Ｌ1、Ｌ2、Ｌ3、・・・）を介して直列接続し、前記複数のインターホン増設親機から増設親機ＩＤで識別される各種データを前記インターホン親機に伝送するインターホン装置であって、
前記インターホン増設親機は、前記増設親機ＩＤを前記複数のインターホン増設親機毎に割り当てて増設親機メモリ（２０ａ、２０ｂ、・・・）に保存する際に、自増設親機および前記自増設機以降のインターホン増設親機の間の伝送路を切断し前記インターホン親機から前記自増設親機に前記増設親機ＩＤを送出するためのスイッチ回路（２９ａ、２９ｂ、・・・）と、前記インターホン親機および前記自増設親機の間で行う前記増設親機ＩＤの送受信と前記スイッチ回路の制御を行うための増設親機ＣＰＵ（２７ａ、２７ｂ、・・・）とを備えることを特徴とするインターホン装置。
【請求項２】
前記インターホン親機は、前記インターホン増設親機の増設親機ＩＤを全て保存するための親機メモリ（１０）を備えることを特徴とする請求項１記載のインターホン装置。
【請求項３】
前記インターホン増設親機に電源が投入されたとき、前記増設親機メモリに保存された自増設親機の増設親機ＩＤの設定データを参照して、前記設定データが範囲外である場合に、前記スイッチ回路を使用して自増設機以降の伝送路を切断し、前記インターホン親機に対して増設親機ＩＤの割り当てのための要求コマンドを送出し、前記受信した要求コマンドにて割り当てられた増設親機ＩＤを前記増設親機メモリに保存して、前記スイッチ回路に対して前記伝送路を接続する制御を行うことを特徴とする請求項１または請求項２記載のインターホン装置。
【請求項４】
前記インターホン親機は、前記インターホン増設親機から前記増設親機ＩＤの割り当てのための要求コマンドを受信したとき、前記親機メモリに保存されているインターホン増設親機ＩＤの割り当て状況データテーブルを参照して、割り当てられていない増設親機ＩＤを前記インターホン増設親機に対して増設親機ＩＤの割り当てコマンドにて送出する制御を行うことを特徴とする請求項１乃至請求項３のうち何れか１項記載のインターホン装置。
【発明の詳細な説明】
【技術分野】
【０００１】
本発明はインターホン装置に係り、特に、インターホン親機との間でデータ通信を行う複数のインターホン増設親機毎、個別の増設親機ＩＤを自動で割り当てることができるインターホン装置に関する。
【背景技術】
【０００２】
従来から、この種のインターホン装置として、例えば、図２のブロック図に示す構成のインターホン装置が提案されている。
【０００３】
同図に示すインターホン装置は、インターホン親機１００と、伝送路Ｌ101、Ｌ102、Ｌ103、・・・を順次経由してインターホン親機１００に直列接続される複数のインターホン増設親機２００ａ、２００ｂ、・・・とで構成されている。
【０００４】
インターホン親機１００には、マイク１１０、スピーカ１１１および通話回路１１２を有する通話部（以下、親機通話部という。）１０１と、モニタ１２０、復調回路１２１を有する出画部（以下、親機出画部という。）１０２と、親機通話部１０１、親機出画部１０２をそれぞれ制御するためのＣＰＵ（以下、親機ＣＰＵという。）１０３と、通信用Ｉ／Ｆ（以下、親機通信用Ｉ／Ｆという。）１０４とが備えられている。
【０００５】
また、インターホン親機１００の親機通信用Ｉ／Ｆ１０４には、親機通話部１０１、親機出画部１０２、親機ＣＰＵ１０３および伝送路Ｌ101がそれぞれ接続されている。
【０００６】
複数のインターホン増設親機２００ａ、２００ｂ、・・・はそれぞれ同様な構成であり、マイク２１０ａ、２１０ｂ、・・・、スピーカ２１１ａ、２１１ｂ、・・・および通話回路２１２ａ、２１２ｂ、・・・を有する通話部（以下、増設親機通話部という。）２０１ａ、２０１ｂ、・・・と、モニタ２２０ａ、２２０ｂ、・・・、復調回路２２１ａ、２２１ｂ、・・・を有する出画部（以下、増設親機出画部とう。）２０２ａ、２０２ｂ、・・・と、自増設親機に割り当てられるＩＤ（以下、増設親機ＩＤという。）を設定するためのＩＤ設定スイッチ２０３ａ、２０３ｂ、・・・と、増設親機通話部２０１ａ、２０１ｂ、・・・、増設親機出画部２０２ａ、２０２ｂ、・・・をそれぞれ制御するとともに、ＩＤ設定スイッチ２０３ａ、２０３ｂ、・・・の操作を検出するためのＣＰＵ（以下、増設親機ＣＰＵという。）２０４ａ、２０４ｂ、・・・と、通信用Ｉ／Ｆ（以下、増設親機通信用Ｉ／Ｆという。）２０５ａ、２０５ｂ、・・・とが備えられている。
【０００７】
また、インターホン増設親機２００ａの増設親機通信用Ｉ／Ｆ２０５ａには、増設親機通話部２０１ａ、増設親機出画部２０２ａ、増設親機ＣＰＵ２０４ａおよび各伝送路Ｌ101、Ｌ102がそれぞれ接続されている。
【０００８】
さらに、インターホン増設親機２００ｂの増設親機通信用Ｉ／Ｆ２０５ｂには、増設親機通話部２０１ｂ、増設親機出画部２０２ｂ、増設親機ＣＰＵ２０４ｂおよび各伝送路Ｌ102、Ｌ103がそれぞれ接続されている。
【０００９】
このように構成されたインターホン装置において、複数のインターホン増設親機２００ａ、２００ｂ、・・・のうち、何れか１台（単一台）の当該増設親機の使用者、例えば、インターホン増設親機２００ａの使用者が、インターホン親機１００の使用者を呼び出すために所定の呼出操作（詳述せず）を行うと、この操作を検出した増設親機ＣＰＵ２０４ａは、予め定められた時間、通信が行われていないと確認できた場合にのみ、ＩＤ設定スイッチ２０３ａの操作によって自増設親機に予め割り当てられている増設親機ＩＤ（以下、第１の増設親機ＩＤという。）を付加させた呼出信号（以下、第１の呼出信号という。）を生成する。この第１の呼出信号は、増設親機ＣＰＵ２０４ａから増設親機通信用Ｉ／Ｆ２０５ａ、伝送路Ｌ101、インターホン親機１００の親機通信用Ｉ／Ｆ１０４を介して親機ＣＰＵ１０３へと伝送される。
【００１０】
インターホン親機１００の親機ＣＰＵ１０３は、第１の呼出信号に付加されている第１の増設親機ＩＤをもとに、インターホン増設親機２００ａからの呼び出しがあることを検出し、その旨の呼出音（音声メッセージを含む。）を親機通話部１０１のスピーカ１１１から出力させて呼出報知を行うことができる。
【００１１】
また、前述の呼出報知を確認したインターホン親機１００の使用者が所定の応答操作（詳述せず）を行うと、この操作を検出した親機ＣＰＵ１０３は、親機通話部１０１の通話回路１１２が能動となるように制御するとともに、前述の第１の呼出信号の信号伝送ラインと逆の経路を介してインターホン増設親機２００ａの増設親機ＣＰＵ２０４ａに応答信号を出力する。この応答信号を検出した増設親機ＣＰＵ２０４ａは、増設親機通話部２０１ａの通話回路２１２ａが能動となるように制御することにより、増設親機通話部２０１ａのマイク２１０ａおよびスピーカ２１１ａと、通話回路２１２ａ、増設親機通信用Ｉ／Ｆ２０５ａ、伝送路Ｌ101、インターホン親機１００の親機通信用Ｉ／Ｆ１０４、親機通話部１０１の通話回路１１２を介してマイク１１０およびスピーカ１１１との間の信号伝送ライン、すなわち、通話ラインが形成され、形成された通話ラインを介して音声信号を送受信させることで通話が成立する。
【００１２】
次に、複数のインターホン増設親機２００ａ、２００ｂ、・・・のうち、少なくとも２台以上の当該増設親機の使用者、例えば、インターホン増設親機２００ａ、２００ｂの（２人の）使用者が、インターホン親機１００の使用者を呼び出すための所定の呼出操作を同時に行うと、この操作を検出した増設親機ＣＰＵ２０４ａ、２０４ｂでは、予め定められた時間、通信が行われていないと確認できた場合にのみ、ＩＤ設定スイッチ２０３ａの操作によって自増設親機に予め割り当てられている第１の増設親機ＩＤを付加させた第１の呼出信号、ＩＤ設定スイッチ２０３ｂの操作によって自増設親機に予め割り当てられている増設親機ＩＤ（以下、第２の増設親機ＩＤという。）を付加させた呼出信号（以下、第２の呼出信号という。）をそれぞれ生成する。ここで、増設親機ＣＰＵ２０４ａ、２０４ｂにてそれぞれ生成された第１、第２の各呼出信号は、その生成のタイミングがほぼ同時であるためにデータ衝突することから、正常なフォーマットの当該呼出信号としてインターホン親機１００の親機ＣＰＵ１０３に伝送できない虞がある。
【００１３】
また、前述のようなデータ衝突が発生すると、インターホン親機１００の親機ＣＰＵ１０３では、親機通話部１０１のスピーカ１１１を使用した呼出報知を行わず、それゆえに、インターホン親機１００の使用者による応答操作も行われない。そこで、（２台の）インターホン増設親機２００ａ、２００ｂの増設ＣＰＵ２０４ａ、２０４ｂが、インターホン親機１００を再度呼び出すために、第１、第２の各呼出信号の生成準備を行うと、それぞれの増設親機に予め割り当てられている増設親機ＩＤの相違をもとに、次にデータ送信するまでに必要な通信の空き時間がインターホン増設親機２００ａ、２００ｂ毎、異なって設定されているため、２回目の呼出操作時において生成される第１、第２の各呼出信号についてはデータ衝突せず、正常なフォーマットの当該呼出信号としてインターホン親機１００の親機ＣＰＵ１０３に伝送させることができる。
【００１４】
なお、前述のような自機器に割り当てられるＩＤを設定するための操作機能が備えられた当該インターホン装置として、例えば、特許文献１に記載のインターホン装置が開示されている。
【００１５】
【特許文献１】特開平１０−１６４２４４号公報（段落番号「００３５」乃至「００３８」等、第２図）
【発明の開示】
【発明が解決しようとする課題】
【００１６】
しかしながら、背景技術に記載したインターホン装置において、複数のインターホン増設親機２００ａ、２００ｂ、・・・のＩＤ設定スイッチ２０３ａ、２０３ｂ、・・・は、その設定操作が（施工業者等によって）手動で行われるため、設定の忘れや設定操作の間違いに起因した動作不良が発生する虞があった。特に、複数のインターホン増設親機２００ａ、２００ｂ、・・・のうち、インターホン増設親機２００ａのＩＤ設定スイッチ２０３ａとインターホン増設親機２００ｂのＩＤ設定スイッチ２０３ｂに同一の増設親機ＩＤを割り当てた後、インターホン親機１００の使用者を呼び出すための所定の呼出操作が同時に行われると、必要な通信の空き時間が同一であるため、データ衝突が繰り返されていた。
【００１７】
本発明は、この難点を解消するためになされたもので、電源の投入時において、インターホン親機との間でデータ通信を行う複数のインターホン増設親機毎、個別の増設親機ＩＤを自動で割り当てることができるインターホン装置を提供することを目的としている。
【課題を解決するための手段】
【００１８】
前述の目的を達成するため、本発明の第１の態様であるインターホン装置は、インターホン親機と複数のインターホン増設親機とを各親機のそれぞれの通信用Ｉ／Ｆを経由し、伝送路を介して直列接続し、複数のインターホン増設親機から増設親機ＩＤで識別される各種データをインターホン親機に伝送するものである。インターホン増設親機は、増設親機ＩＤを複数のインターホン増設親機毎に割り当てて増設親機メモリに保存する際に、自増設親機および自増設機以降のインターホン増設親機の間の伝送路を切断しインターホン親機から自増設親機に増設親機ＩＤを送出するためのスイッチ回路と、インターホン親機および自増設親機の間で行う増設親機ＩＤの送受信とスイッチ回路の制御を行うための増設親機ＣＰＵとを備えたものである。
【００１９】
本発明の第２の態様であるインターホン装置は、本発明の第１の態様において、インターホン親機は、インターホン増設親機の増設親機ＩＤを全て保存するための親機メモリを備えたものである。
【００２０】
本発明の第３の態様であるインターホン装置は、本発明の第１、第２の各態様において、インターホン増設親機に電源が投入されたとき、増設親機メモリに保存された自増設親機の増設親機ＩＤの設定データを参照して、設定データが範囲外である場合に、スイッチ回路を使用して自増設機以降の伝送路を切断し、インターホン親機に対して増設親機ＩＤの割り当てのための要求コマンドを送出し、受信した要求コマンドにて割り当てられた増設親機ＩＤを増設親機メモリに保存して、スイッチ回路に対して伝送路を接続する制御を行うものである。
【００２１】
本発明の第４の態様であるインターホン装置は、本発明の第１、第２、第３の各態様において、インターホン親機は、インターホン増設親機から増設親機ＩＤの割り当てのための要求コマンドを受信したとき、親機メモリに保存されている増設親機ＩＤの割り当て状況データテーブルを参照して、割り当てられていない増設親機ＩＤをインターホン増設親機に対して増設親機ＩＤの割り当てコマンドにて送出する制御を行うものである。
【発明の効果】
【００２２】
本発明のインターホン装置によれば、インターホン親機に直列接続される複数のインターホン増設親機にそれぞれ電源が投入されると、増設親機ＣＰＵは、増設親機メモリに保存されている自増設親機の増設親機ＩＤの設定データを参照して、設定データが範囲外である場合にスイッチ回路がオフ状態となるように切り替え、自増設親機および自増設機以降の当該増設親機の間の伝送路を切断することができる。また、インターホン増設親機の増設親機ＣＰＵから増設親機ＩＤの割り当てのための要求コマンドを受信したインターホン親機の親機ＣＰＵは、親機メモリに保存されている増設親機ＩＤの割り当て状況データテーブルを参照して、割り当てられていない増設親機ＩＤを要求元であるインターホン増設親機の増設親機メモリに保存させることができる。これにより、電源の投入時において、複数のインターホン増設親機毎、個別の増設親機ＩＤが自動で割り当てられるため、手動による設定が不要となり、設定の忘れや設定操作の間違いに起因した動作不良の発生が抑えられる。
【発明を実施するための最良の形態】
【００２３】
以下、本発明のインターホン装置を実施するための最良の形態例について、図面を参照して説明する。
【００２４】
図１は、本発明を実施するための最良の一形態であるインターホン装置の具体的な構成を示すブロック図である。
【００２５】
図１に示すインターホン装置は、呼出／通話機能を有するインターホン親機１と、呼出／通話機能を有しており、インターホン親機１に伝送路Ｌ1、Ｌ2、Ｌ3、・・・を順次経由して直列接続される複数のインターホン増設親機２ａ、２ｂ、・・・とで構成されている。なお、インターホン親機１および複数のインターホン増設親機２ａ、２ｂ、・・・は、屋内に設置される機器である。また、インターホン親機１には、玄関や門扉等の屋外に設置されるドアホン子機（符号は付与せず）を接続することができる。このドアホン子機は、呼出／通話機能の他、映像撮像機能を有する機器である。
【００２６】
同図に示すインターホン親機１には、メモリ（以下、親機メモリという。）１０、マイク（以下、親機マイクという。）１１、スピーカ（以下、親機スピーカという。）１２、通話回路（以下、親機通話回路という。）１３、モニタ（以下、親機モニタという。）１４、復調回路（以下、親機復調回路という。）１５、電源回路（以下、親機電源回路という。）１６、ＣＰＵ（以下、親機ＣＰＵという。）１７、通信用Ｉ／Ｆ（以下、親機通信用Ｉ／Ｆという。）１８が備えられている。
【００２７】
このインターホン親機１において、親機メモリ１０は、複数のインターホン増設親機２ａ、２ｂ、・・・毎に割り当てられる個別の増設親機ＩＤを全て保存するためのものであり、例えば、フラッシュメモリ、ＥＥＰＲＯＭ（Electrically Erasable Programmable Read Only Memory）等の不揮発性メモリが好適とされる。
【００２８】
親機マイク１１および親機スピーカ１２は、親機通話回路１３とともに通話部（親機通話部）を構成し、当該親機の使用者がドアホン子機の使用者、或いは、複数のインターホン増設親機２ａ、２ｂ、・・・のうち、呼出元または呼出先である何れか１台の当該増設親機の使用者との間で通話を成立させるにあたり音声（送話音声、受話音声）を入出力するためのものである。また、親機スピーカ１２は、前述の通話機能の他に、ドアホン子機、または複数のインターホン増設親機２ａ、２ｂ、・・・のうち、何れか１台の当該増設親機からの呼び出しがある旨の呼出音を出力する機能を有している。なお、親機スピーカ１２から出力される呼出音には、音声メッセージ等も含まれる。
【００２９】
親機通話回路１３は、親機マイク１１および親機スピーカ１２にて入出力される音声（送話音声、受話音声）であり信号処理された音声信号について、４線／２線変換および２線／４線変換、増幅等を行い、信号伝送ライン（通話ライン）を形成するためのものである。
【００３０】
親機モニタ１４は、親機復調回路１５とともに出画部（親機出画部）を構成し、ドアホン子機の映像撮像機能により撮像された映像を出画するためのものであり、例えば、ＬＣＤ（Liquid Crystal Display）、有機ＥＬ（Electro Luminescence）ディスプレイ等が好適とされる。
【００３１】
親機復調回路１５は、ドアホン子機から伝送されてくる（ＦＭ変調された）映像信号を復調し、当該ドアホン子機の映像撮像機能により撮像された映像を親機モニタ１４に出画させるためのものである。
【００３２】
親機電源回路１６は、商用電源（ＡＣ１００Ｖ）について整流／平滑させた直流電源を生成し、自親機の構成各部／回路へと電源供給するばかりでなく、ドアホン子機を動作させるために必要な直流電源を生成するものである。
【００３３】
親機ＣＰＵ１７は、自親機の構成各部／回路を制御するための機能として、親機メモリ１０の制御（保存／読出／照合）機能、親機スピーカ１２から呼出音を出力させる機能、親機通話回路１３、親機モニタ１４および親機復調回路１５をそれぞれ能動にする機能、親機電源回路１６の制御（電源供給／電圧変化）機能を有している。
【００３４】
親機通信用Ｉ／Ｆ１８は、親機通話回路１３およびドアホン子機が接続される伝送路（図示せず）の間における双方向の信号伝送ライン（通話ライン）、親機通話回路１３および伝送路Ｌ1の間における双方向の信号伝送ライン（通話ライン）、当該ドアホン子機が接続される伝送路から親機復調回路１５への信号伝送ライン、親機電源回路１６から当該ドアホン子機が接続される伝送路への電源供給ライン、親機ＣＰＵ１７および当該ドアホン子機が接続される伝送路の間における双方向の信号伝送ライン、親機ＣＰＵ１７および伝送路Ｌ1の間における双方向の信号伝送ラインをそれぞれ形成するためのものである。
【００３５】
同図において、複数のインターホン増設親機２ａ、２ｂ、・・・はそれぞれ同様な構成であり、メモリ（以下、増設親機メモリという。）２０ａ、２０ｂ、・・・、マイク（以下、増設親機マイクという。）２１ａ、２１ｂ、・・・、スピーカ（以下、増設親機スピーカという。）２２ａ、２２ｂ、・・・、通話回路（以下、増設親機通話回路という。）２３ａ、２３ｂ、・・・、モニタ（以下、増設親機モニタという。）２４ａ、２４ｂ、・・・、復調回路（以下、増設親機復調回路という。）２５ａ、２５ｂ、・・・、電源回路（以下、増設親機電源回路という。）２６ａ、２６ｂ、・・・、ＣＰＵ（以下、増設親機ＣＰＵという。）２７ａ、２７ｂ、・・・、通信用Ｉ／Ｆ（以下、増設親機通信用Ｉ／Ｆという。）２８ａ、２８ｂ、・・・、スイッチ回路２９ａ、２９ｂ、・・・が備えられている。
【００３６】
このインターホン増設親機２ａ、２ｂ、・・・において、増設親機メモリ２０ａ、２０ｂ、・・・は、自増設親機に割り当てられる個別の増設親機ＩＤを保存するためのものであり、例えば、フラッシュメモリ、ＥＥＰＲＯＭ等の不揮発性メモリが好適とされる。
【００３７】
増設親機マイク２１ａ、２１ｂ、・・・および増設親機スピーカ２２ａ、２２ｂ、・・・は、増設親機通話回路２３ａ、２３ｂ、・・・とともに通話部（増設親機通話部）を構成し、当該増設親機の使用者がドアホン子機の使用者、呼出元または呼出先であるインターホン親機１の使用者、或いは、自増設親機を除く他の当該増設親機のうち、呼出元または呼出先である何れか１台の当該増設親機の使用者との間で通話を成立させるにあたり音声（送話音声、受話音声）を入出力するためのものである。また、増設親機スピーカ２２ａ、２２ｂ、・・・は、前述の通話機能の他に、当該ドアホン子機、インターホン親機１または自増設親機を除く他の当該増設親機のうち、何れか１台の当該増設親機からの呼び出しがある旨の呼出音を出力する機能を有している。なお、増設親機スピーカ２２ａ、２２ｂ、・・・から出力される呼出音には、音声メッセージ等も含まれる。
【００３８】
増設親機通話回路２３ａ、２３ｂ、・・・は、増設親機マイク２１ａ、２１ｂ、・・・および増設親機スピーカ２２ａ、２２ｂ、・・・にて入出力される音声（送話音声、受話音声）であり信号処理された音声信号について、４線／２線変換および２線／４線変換、増幅等を行い、信号伝送ライン（通話ライン）を形成するためのものである。
【００３９】
増設親機モニタ２４ａ、２４ｂ、・・・は、増設親機復調回路２５ａ、２５ｂ、・・・とともに出画部（増設親機出画部）を構成し、ドアホン子機の映像撮像機能により撮像された映像を出画するためのものであり、例えば、ＬＣＤ、有機ＥＬディスプレイ等が好適とされる。
【００４０】
増設親機復調回路２５ａ、２５ｂ、・・・は、ドアホン子機から伝送されてくる（ＦＭ変調された）映像信号を復調し、当該ドアホン子機の映像撮像機能により撮像された映像を増設親機モニタ２４ａ、２４ｂ、・・・に出画させるためのものである。
【００４１】
増設親機電源回路２６ａ、２６ｂ、・・・は、商用電源（ＡＣ１００Ｖ）について整流／平滑させた直流電源を生成し、自増設親機の構成各部／回路へと電源供給するためのものである。
【００４２】
増設親機ＣＰＵ２７ａ、２７ｂ、・・・は、自増設親機の構成各部／回路を制御するための機能として、増設親機メモリ２０ａ、２０ｂ、・・・の制御（保存／読出／照合）機能、増設親機スピーカ２２ａ、２２ｂ、・・・から呼出音を出力させる機能、増設親機通話回路２３ａ、２３ｂ、・・・、増設親機モニタ２４ａ、２４ｂ、・・・および増設親機復調回路２５ａ、２５ｂ、・・・をそれぞれ能動にする機能、増設親機電源回路２６ａ、２６ｂ、・・・の制御（電源供給／電圧変化）機能、スイッチ回路２９ａ、２９ｂ、・・・の制御（オン／オフ切り替え）機能を有している。
【００４３】
増設親機通信用Ｉ／Ｆ２８ａ、２８ｂ、・・・のうち、（インターホン増設親機２ａの）増設親機通信用Ｉ／Ｆ２８ａは、増設親機通話回路２３ａおよび各伝送路Ｌ1、Ｌ2の間における双方向の信号伝送ライン（通話ライン）、伝送路Ｌ1から増設親機復調回路２５ａへの信号伝送ライン、増設親機ＣＰＵ２７ａおよび各伝送路Ｌ1、Ｌ2の間における双方向の信号伝送ラインをそれぞれ形成するためのものである。
【００４４】
また、（インターホン増設親機２ｂの）増設親機通信用Ｉ／Ｆ２８ｂは、増設親機通話回路２３ｂおよび各伝送路Ｌ2、Ｌ3の間における双方向の信号伝送ライン（通話ライン）、伝送路Ｌ2から増設親機復調回路２５ｂへの信号伝送ライン、増設親機ＣＰＵ２７ｂおよび各伝送路Ｌ2、Ｌ3の間における双方向の信号伝送ラインをそれぞれ形成するためのものである。
【００４５】
スイッチ回路２９ａ、２９ｂ、・・・のうち、（インターホン増設親機２ａの）スイッチ回路２９ａは、増設親機通信用Ｉ／Ｆ２８ａおよび自増設親機の直下流の当該増設親機であるインターホン増設親機２ｂに接続（直列接続）される伝送路Ｌ2の間を切断（遮断）し、インターホン親機１から自増設親機へのデータ通信を行うためのものである。
【００４６】
また、（インターホン増設親機２ｂの）スイッチ回路２９ｂは、増設親機通信用Ｉ／Ｆ２８ｂおよび自増設親機の直下流である当該増設親機に接続（直列接続）される伝送路Ｌ3の間を切断（遮断）し、インターホン親機１から自増設親機へのデータ通信を行うためのものである。
【００４７】
このように構成された本発明を実施するための最良の一形態であるインターホン装置において、以下、具体的な動作について説明する。
【００４８】
インターホン親機１の親機メモリ１０には、初期状態である出荷時の設定として、複数のインターホン増設親機２ａ、２ｂ、・・・毎に割り当てるべき（複数の）増設親機ＩＤとともに、当該増設親機ＩＤの割り当ての状況を照合／判別するための割り当て状況データテーブルと、自親機に直列接続される当該増設親機を照合／判別するための接続テーブルとが保存されている。
【００４９】
次に、当該インターホン装置の施工時のように、インターホン親機１、複数のインターホン増設親機２ａ、２ｂ、・・・にそれぞれ電源を投入する場合の動作について説明する。なお、複数のインターホン増設親機２ａ、２ｂ、・・・のスイッチ回路２９ａ、２９ｂ、・・・は、初期状態である出荷時の設定として全てオン状態であり、（インターホン増設親機２ａの）増設親機通信用Ｉ／Ｆ２８ａおよび伝送路Ｌ2の間の信号伝送ライン、（インターホン増設親機２ｂの）増設親機通信用Ｉ／Ｆ２８ｂおよび伝送路Ｌ3の間の信号伝送ライン、・・・がそれぞれ形成されているものとする。
【００５０】
インターホン親機１の構成各部／回路は、親機電源回路１６にて生成された直流電源が動作電源となる。
【００５１】
また、複数のインターホン増設親機２ａ、２ｂ、・・・にそれぞれ動作電源を投入するにあたり、第１の電源投入例として、インターホン増設親機２ａ→インターホン増設親機２ｂ→・・・のように、インターホン親機１側である最上流の当該増設親機から最下流の当該増設親機への順序で、電源を順次投入させる場合の動作について説明する。
【００５２】
［第１の電源投入例］
第１の電源投入例における第１の動作を説明するにあたり、複数のインターホン増設親機２ａ、２ｂ、・・・のうち、最上流の当該増設親機であるインターホン増設親機２ａの増設親機電源回路２６ａにて生成された直流電源が動作電源として、自増設親機の構成各部／回路に供給開始されると、これを検出した増設親機ＣＰＵ２７ａは、インターホン親機１との間の接続の有無を示す接続確認データを「未接続状態」に設定する。その後、インターホン親機１は、増設親機メモリ２０ａに保存されている（自増設親機の）増設親機ＩＤの設定データを参照する。ここで、参照された設定データがＦＦＨ（１６進数。１０進数では「２５５」を表す。）のように、例えば、インターホン親機１に直列接続できる当該増設親機の台数が５台である旨を示す範囲（０１Ｈ、０２Ｈ、０３Ｈ、０４Ｈ、０５Ｈ）の当該範囲外であると、これを検出した増設親機ＣＰＵ２７ａは、オン状態のスイッチ回路２９ａがオフ状態となるように切り替える。この切り替え制御により、増設親機通信用Ｉ／Ｆ２８ａおよび伝送路Ｌ2の間における双方向の信号伝送ラインは切断（遮断）されることから、インターホン親機１との間でデータ通信が可能な当該増設親機は、複数のインターホン増設親機２ａ、２ｂ、・・・のうち、インターホン増設親機２ａのみとなる。
【００５３】
また、前述の切り替え制御を行ったインターホン増設親機２ａの増設親機ＣＰＵ２７ａは、インターホン親機１の親機メモリ１０に保存されている複数の増設親機ＩＤのうち、自増設親機に割り当てるべき増設親機ＩＤを要求するためのコマンド（以下、第１の増設親機ＩＤ要求コマンド信号という。）を生成する。この第１の増設親機ＩＤ要求コマンド信号は、増設親機ＣＰＵ２７ａから増設親機通信用Ｉ／Ｆ２８ａ、伝送路Ｌ1、インターホン親機１の親機通信用Ｉ／Ｆ１８を介して親機ＣＰＵ１７へと伝送される。
【００５４】
インターホン親機１の親機ＣＰＵ１７は、インターホン増設親機２ａの増設親機ＣＰＵ２７ａからの送信信号である第１の増設親機ＩＤ要求コマンド信号を検出すると、親機メモリ１０に保存されている（増設親機ＩＤの）割り当て状況データテーブルを参照して、複数の増設親機ＩＤのうち、何れの当該増設親機にも割り当てられていない増設親機ＩＤ、例えば、「０２Ｈ」を読み出す。また、親機ＣＰＵ１７は、親機メモリ１０から読み出された増設親機ＩＤ「０２Ｈ」を付加させたコマンド（以下、第１の増設親機ＩＤ割当コマンド信号という。）を生成するとともに、読み出された増設親機ＩＤ「０２Ｈ」がインターホン増設親機２ａに割り当てられるように割り当て状況データテーブル（の内容）を更新し、「０２Ｈ」を登録済みとする。さらに、親機ＣＰＵ１７にて生成された第１の増設親機ＩＤ割当コマンド信号は、前述の第１の増設親機ＩＤ要求コマンド信号の信号伝送ラインと逆の経路を介してインターホン増設親機２ａの増設親機ＣＰＵ２７ａへと伝送される。
【００５５】
インターホン増設親機２ａの増設親機ＣＰＵ２７ａは、インターホン親機１の親機ＣＰＵ１７からの送信信号である第１の増設親機ＩＤ割当コマンド信号に付加されている増設親機ＩＤ「０２Ｈ」を、自増設親機に割り当てるべき増設親機ＩＤとして増設親機メモリ２０ａに保存することができる。また、増設親機ＣＰＵ２７ａは、インターホン親機１との間の接続の有無を示す「未接続状態」の接続確認データを切り替えて「接続状態」に設定した後、オフ状態のスイッチ回路２９ａがオン状態となるように切り替える。この切り替え制御が行われると、増設親機通信用Ｉ／Ｆ２８ａおよび伝送路Ｌ2の間における双方向の信号伝送ラインは再び形成されることになる。
【００５６】
一方、インターホン増設親機２ａの増設親機ＣＰＵ２７ａが参照する（自増設親機の）増設親機ＩＤの設定データが前述の範囲内、例えば、「０２Ｈ」であると、これを検出した増設親機ＣＰＵ２７ａは、スイッチ回路２９ａのオン状態を保持しつつ、自増設親機に割り当てられている増設親機ＩＤ「０２Ｈ」を（インターホン親機１の親機メモリ１０に）登録するためのコマンド（以下、第１の増設親機ＩＤ登録コマンド信号という。）を生成する。この第１の増設親機ＩＤ登録コマンド信号は、前述の第１の増設親機ＩＤ要求コマンド信号の信号伝送ラインと同様な経路を介してインターホン親機１の親機ＣＰＵ１７へと伝送される。
【００５７】
インターホン親機１の親機ＣＰＵ１７は、インターホン増設親機２ａの増設親機ＣＰＵ２７ａからの送信信号である第１の増設親機ＩＤ登録コマンド信号を検出すると、親機メモリ１０に保存されている（インターホン増設親機の）接続テーブルを更新し、増設親機ＩＤ「０２Ｈ」を登録済みにするとともに、親機メモリ１０への更新登録が完了した旨のコマンド（以下、第１の登録完了コマンド信号という。）を生成する。この第１の登録完了コマンド信号は、前述の第１の増設親機ＩＤ割当コマンド信号の信号伝送ラインと同様な経路を介してインターホン増設親機２ａの増設親機ＣＰＵ２７ａへと伝送される。
【００５８】
インターホン増設親機２ａの増設親機ＣＰＵ２７ａは、インターホン親機１の親機ＣＰＵ１７からの送信信号である第１の登録完了コマンド信号を検出すると、インターホン親機１との間の接続の有無を示す接続確認データを切り替えて「接続状態」に設定することができる。
【００５９】
次に、インターホン増設親機２ａの増設親機電源回路２６ａにて生成された直流電源が動作電源として、自増設親機の構成各部／回路に供給開始された後のタイミングで、インターホン増設親機２ｂの増設親機電源回路２６ｂにて生成された直流電源が動作電源として、自増設親機の構成各部／回路に供給開始されると、これを検出した増設親機ＣＰＵ２７ｂは、インターホン親機１との間の接続の有無を示す接続確認データを「未接続状態」に設定した後、増設親機メモリ２０ｂに保存されている（自増設親機の）増設親機ＩＤの設定データを参照する。ここで、参照された設定データがＦＦＨのように、例えば、インターホン親機１に直列接続できる当該増設親機の台数が５台である旨を示す範囲（０１Ｈ、０２Ｈ、０３Ｈ、０４Ｈ、０５Ｈ）の当該範囲外であると、これを検出した増設親機ＣＰＵ２７ｂは、オン状態のスイッチ回路２９ｂがオフ状態となるように切り替える。この切り替え制御により、増設親機通信用Ｉ／Ｆ２８ｂおよび伝送路Ｌ3の間における双方向の信号伝送ラインは切断（遮断）されることから、インターホン親機１との間でデータ通信が可能な当該増設親機は、複数のインターホン増設親機２ａ、２ｂ、・・・のうち、インターホン増設親機２ａ、２ｂの２台となる。
【００６０】
また、前述の切り替え制御を行ったインターホン増設親機１ｂの増設親機ＣＰＵ２７ｂは、インターホン親機１の親機メモリ１０に保存されている複数の増設親機ＩＤのうち、自増設親機に割り当てるべき増設親機ＩＤを要求するためのコマンド（以下、第２の増設親機ＩＤ要求コマンド信号という。）を生成する。この第２の増設親機ＩＤ要求コマンド信号は、増設親機ＣＰＵ２７ｂから増設親機通信用Ｉ／Ｆ２８ｂ、伝送路Ｌ2、インターホン増設親機２ａの（オン状態である）スイッチ回路２９ａ、増設親機通信用Ｉ／Ｆ２８ａを介して増設親機ＣＰＵ２７ａへと伝送されるとともに、増設親機ＣＰＵ２７ｂから増設親機通信用Ｉ／Ｆ２８ｂ、伝送路Ｌ2、インターホン増設親機２ａの（オン状態である）スイッチ回路２９ａ、増設親機通信用Ｉ／Ｆ２８ａ、伝送路Ｌ1、インターホン親機１の親機通信用Ｉ／Ｆ１８を介して親機ＣＰＵ１７へと伝送される。
【００６１】
なお、インターホン増設親機２ａの増設親機ＣＰＵ２７ａは、インターホン増設親機２ｂの増設親機ＣＰＵ２７ｂからの送信信号である第２の増設親機ＩＤ要求コマンド信号がインターホン親機１の親機ＣＰＵ１７からの送信信号でないことから、当該コマンド信号を無効であると判断する。
【００６２】
インターホン親機１の親機ＣＰＵ１７は、インターホン増設親機２ｂの増設親機ＣＰＵ２７ｂからの送信信号である第２の増設親機ＩＤ要求コマンド信号を検出すると、親機メモリ１０に保存されている（増設親機ＩＤの）割り当て状況データテーブルを参照して、複数の増設親機ＩＤのうち、前述のインターホン増設親機２ａを含め何れの当該増設親機にも割り当てられていない増設親機ＩＤ、例えば、「０３Ｈ」を読み出す。また、親機ＣＰＵ１７は、親機メモリ１０から読み出された増設親機ＩＤ「０３Ｈ」を付加させたコマンド（以下、第２の増設親機ＩＤ割当コマンド信号という。）を生成するとともに、読み出された増設親機ＩＤ「０３Ｈ」がインターホン増設親機２ｂに割り当てられるように割り当て状況データテーブル（の内容）を更新し、「０３Ｈ」を登録済みとする。さらに、親機ＣＰＵ１７にて生成された第２の増設親機ＩＤ割当コマンド信号は、前述の第２の増設親機ＩＤ要求コマンド信号の信号伝送ラインと逆の経路を介して、他のコマンド信号とのデータ衝突がない正常なフォーマットでインターホン増設親機２ｂの増設親機ＣＰＵ２７ｂへと伝送されるとともに、親機通信用Ｉ／Ｆ１８、伝送路Ｌ1、インターホン増設親機２ａの増設親機通信用Ｉ／Ｆ２８ａを介して増設親機ＣＰＵ２７ａへと伝送される。
【００６３】
インターホン増設親機２ｂの増設親機ＣＰＵ２７ｂは、インターホン親機１の親機ＣＰＵ１７からの送信信号である第２の増設親機ＩＤ割当コマンド信号に付加されている増設親機ＩＤ「０３Ｈ」を、自増設親機に割り当てるべき増設親機ＩＤとして増設親機メモリ２０ｂに保存することができる。また、増設親機ＣＰＵ２７ｂは、インターホン親機１との間の接続の有無を示す「未接続状態」の接続確認データを切り替えて「接続状態」に設定した後、オフ状態のスイッチ回路２９ｂがオン状態となるように切り替える。この切り替え制御が行われると、増設親機通信用Ｉ／Ｆ２８ｂおよび伝送路Ｌ3の間における双方向の信号伝送ラインは再び形成されることになる。
【００６４】
なお、インターホン増設親機２ａの増設親機ＣＰＵ２７ａは、インターホン親機１の親機ＣＰＵ１７からの送信信号である第２の増設親機ＩＤ割当コマンド信号を検出した場合であっても、自増設親機に割り当てるべき増設親機ＩＤ「０３Ｈ」が既に増設親機メモリ２０ａに保存されているため、当該コマンド信号を無効であると判断する。
【００６５】
一方、インターホン増設親機２ｂの増設親機ＣＰＵ２７ｂが参照する（自増設親機の）増設親機ＩＤの設定データが前述の範囲内、例えば、「０３Ｈ」であると、これを検出した増設親機ＣＰＵ２７ｂは、スイッチ回路２９ｂのオン状態を保持しつつ、自増設親機に割り当てられている増設親機ＩＤ「０３Ｈ」を（インターホン親機１の親機メモリ１０に）登録するためのコマンド（以下、第２の増設親機ＩＤ登録コマンド信号という。）を生成する。この第２の増設親機ＩＤ登録コマンド信号は、前述の第２の増設親機ＩＤ要求コマンド信号の信号伝送ラインと同様な経路を介してインターホン増設親機２ａの増設親機ＣＰＵ２７ａおよびインターホン親機１の親機ＣＰＵ１７へとそれぞれ伝送される。
【００６６】
なお、インターホン増設親機２ａの増設親機ＣＰＵ２７ａは、インターホン増設親機２ｂの増設親機ＣＰＵ２７ｂからの送信信号である第２の増設親機ＩＤ登録コマンド信号がインターホン親機１の親機ＣＰＵ１７からの送信信号でないことから、当該コマンド信号を無効であると判断する。
【００６７】
インターホン親機１の親機ＣＰＵ１７は、インターホン増設親機２ｂの増設親機ＣＰＵ２７ｂからの送信信号である第２の増設親機ＩＤ登録コマンド信号を検出すると、親機メモリ１０に保存されている（インターホン増設親機の）接続テーブルを更新し、増設親機ＩＤ「０３Ｈ」を登録済みとするとともに、親機メモリ１０への更新登録が完了した旨のコマンド（以下、第２の登録完了コマンド信号という。）を生成する。この第２の登録完了コマンド信号は、前述の第２の増設親機ＩＤ割当コマンド信号の信号伝送ラインと同様な経路を介してインターホン増設親機２ａ、２ｂの増設親機ＣＰＵ２７ａ、２７ｂへとそれぞれ伝送される。
【００６８】
なお、インターホン増設親機２ａの増設親機ＣＰＵ２７ａは、インターホン増設親機２ｂの増設親機ＣＰＵ２７ｂからの送信信号である第２の登録完了コマンド信号を検出した場合であっても、自増設親機への第１の登録完了コマンド信号を既に受信済みであることから、当該コマンド信号を無効であると判断する。
【００６９】
インターホン増設親機２ｂの増設親機ＣＰＵ２７ｂは、インターホン親機１の親機ＣＰＵ１７からの送信信号である第２の登録完了コマンド信号を検出すると、インターホン親機１との間の接続の有無を示す接続確認データを切り替えて「接続状態」に設定することができる。
【００７０】
なお、前述までの第１の動作は、インターホン増設親機２ｂの下流側に直列接続される他の増設親機においても同様に行われるものであり、電源を投入するにあたり、自増設親機に割り当てるべき増設親機ＩＤを増設親機メモリに保存することができる。
【００７１】
また、前述までの第１の動作を繰り返して行い、前述の範囲内全ての増設親機ＩＤ「０１Ｈ」、「０２Ｈ」、「０３Ｈ」、「０４Ｈ」、「０５Ｈ」がインターホン親機１の親機メモリ１０に保存されている（インターホン増設親機の）接続テーブルに登録済みとなると、新たな当該増設親機ＩＤを登録できず、それゆえに、インターホン親機１に直列接続できる当該増設親機の台数は５台に限定されることになる。
【００７２】
次に、第１の電源投入例における第２の動作として、複数のインターホン増設親機２ａ、２ｂ、・・・のうち、最上流の当該増設親機であるインターホン増設親機２ａの増設親機電源回路２６ａにて生成された直流電源が動作電源として、自増設親機の構成各部／回路に供給開始された後のタイミングで、インターホン増設親機２ｂの増設親機電源回路２６ｂにて生成された直流電源が動作電源として自増設親機の構成各部／回路に供給開始された後において、増設親機メモリ２０ａ、２０ｂを参照して増設親機ＣＰＵ２７ａ、２７ｂにてそれぞれ検出される自増設親機ＩＤ設定データが前述の範囲内で同一、例えば、「０４Ｈ」で同一であった場合には、一方の当該増設親機ＣＰＵである下流側の増設親機ＣＰＵ２７ｂからインターホン親機１（の親機ＣＰＵ１７）へと増設親機ＩＤ登録コマンド信号を出力した時点で、他方の当該増設親機ＣＰＵである上流側の増設親機ＣＰＵ２７ａにて同一である（自増設親機の）増設親機ＩＤの設定データを検出できる。この増設親機ＣＰＵ２７ａは、増設親機メモリ２０ａに保存されている（自増設親機の）増設親機ＩＤの設定データ（の内容）を前述の範囲外へと書き換え後、再起動（リセット）を実行することにより、第１の動作で明らかなように、インターホン増設親機２ｂとは異なる別途の増設親機ＩＤを自増設親機に（自動で）割り当てて、増設親機メモリ２０ａに保存することができる。
【００７３】
次に、複数のインターホン増設親機２ａ、２ｂ、・・・にそれぞれ動作電源を投入するにあたり、第２の電源投入例として、全ての当該インターホン増設親機に同一のタイミングで電源を投入させる場合の動作について説明する。
【００７４】
[第２の電源投入例]
複数のインターホン増設親機２ａ、２ｂ、・・・のうち、例えば、最上流の当該増設親機であるインターホン増設親機２ａの増設親機電源回路２６ａにて生成された直流電源が動作電源として、自増設親機の構成各部／回路に供給開始されるタイミングと、インターホン増設親機２ａの直下流の当該増設親機であるインターホン増設親機２ｂの増設親機電源回路２６ａにて生成された直流電源が動作電源として、自増設親機の構成各部／回路に供給開始されるタイミングとが同一であった場合には、前述の第１の電源投入例における第１、第２の各動作と同様、増設親機ＣＰＵ２７ａにて生成される第１の増設親機ＩＤ要求コマンド信号または第１の増設親機ＩＤ登録コマンド信号と、増設親機ＣＰＵ２７ｂにて生成される第２の増設親機ＩＤ要求コマンド信号または第２の増設親機ＩＤ登録コマンド信号とがデータ衝突することから、正常なフォーマットの当該コマンド信号をインターホン親機１の親機ＣＰＵ１７にて受信できない、或いは、親機電源回路１６から自親機の構成各部／回路へと直流電源の供給が開始されてから計時される一定の時間内において何れの当該コマンド信号もできない虞がある。そこで、親機ＣＰＵ１７は、２台のインターホン増設親機２ａ、２ｂを対象として増設親機ＩＤの登録終了を予告するためのコマンド（以下、登録終了予告コマンド信号という。）を生成する。この登録終了予告コマンド信号は、親機ＣＰＵ１７から親機通信用Ｉ／Ｆ１８、伝送路Ｌ1、インターホン増設親機２ａの増設親機通信用Ｉ／Ｆ２８ａを経由して増設親機ＣＰＵ２７ａへと伝送されるとともに、親機ＣＰＵ１７から親機通信用Ｉ／Ｆ１８、伝送路Ｌ1、インターホン増設親機２ａの増設親機通信用Ｉ／Ｆ２８ａ、（オン状態である）スイッチ回路２９ａ、伝送路Ｌ2、インターホン増設親機２ｂの増設親機通信用Ｉ／Ｆ２８ｂを介して増設親機ＣＰＵ２７ｂへと伝送される。
【００７５】
（２台の）インターホン増設親機２ａ、２ｂの増設親機ＣＰＵ２７ａ、２７ｂは、インターホン親機１の親機ＣＰＵ１７からの送信信号である登録終了予告コマンド信号を検出すると、増設親機メモリ２０ａ、２０ｂにそれぞれ保存されている（自増設親機の）増設親機ＩＤの設定データ（の内容）を前述の範囲外へと書き換えた後、オン状態のスイッチ回路２９ａ、２９ｂをオフ状態に切り替えることにより、第１、第２の各増設親機ＩＤ要求コマンド信号を、データ衝突がない正常なフォーマットでインターホン親機１の親機ＣＰＵ１７へ伝送させることができる。
【００７６】
また、第１、第２の各増設親機ＩＤ要求コマンド信号を正常なフォーマットで検出したインターホン親機１の親機ＣＰＵ１７の制御により親機メモリ１０から読み出される個別の増設親機ＩＤ「０２Ｈ」、「０３Ｈ」をそれぞれ付加させた第１、第２の各増設親機ＩＤ割当コマンド信号についても、データ衝突がない正常なフォーマットでインターホン増設親機２ａ、２ｂの増設親機ＣＰＵ２７ａ、２７ｂへそれぞれ伝送させることができる。それゆえに、インターホン親機１の親機メモリ１０に保存されている複数の増設親機ＩＤのうち、自増設親機に割り当てるべき個別の増設親機ＩＤ、例えば、増設親機ＩＤ「０２Ｈ」を増設親機メモリ２０ａに、増設親機ＩＤ「０３Ｈ」を増設親機メモリ２０ｂにそれぞれ保存することができる。
【００７７】
なお、前述までの説明から明らかなように、インターホン親機１との間でデータ通信を行う複数のインターホン増設親機２ａ、２ｂ、・・・毎、個別の増設親機ＩＤを電源の投入時において自動で割り当てた後において、何れか１台（単一台）の当該増設親機の使用者が、インターホン親機１の使用者を呼び出して通話を成立させる動作と、少なくとも２台以上の当該増設親機の使用者が、インターホン親機１の使用者を同時に呼び出して通話を成立させる動作とは、前述の背景技術に記載したインターホン装置（図２）の該当動作と同様であることから説明を省略する。
【００７８】
また、本発明のインターホン装置においては、図１に示す特定の実施の形態をもって説明してきたが、この形態に限定されるものでなく、本発明の効果を奏する限り、これまで知られた如何なる構成であっても採用できるということはいうまでもないことである。
【図面の簡単な説明】
【００７９】
【図１】本発明を実施するための最良の一形態であるインターホン装置の具体的な構成を示すブロック図。
【図２】背景技術であるインターホン装置の具体的な構成を示すブロック図。
【符号の説明】
【００８０】
１……インターホン親機
１０……親機メモリ
１８……親機通信用Ｉ／Ｆ（通信用Ｉ／Ｆ）
２ａ、２ｂ、・・・……（複数の）インターホン増設親機
２０ａ、２０ｂ、・・・ ……増設親機メモリ
２７ａ、２７ｂ、・・・ ……増設親機ＣＰＵ（ＣＰＵ）
２８ａ、２８ｂ、・・・ ……増設親機通信用Ｉ／Ｆ（通信用Ｉ／Ｆ）
２９ａ、２９ｂ、・・・ ……スイッチ回路
【図１】
2007067727.tif 000003
【図２】
2007067727.tif 000004